(57)【特許請求の範囲】
【請求項１】
移動棚の側面に設けられてチェ−ンが掛回されたハンドル軸スプロケットのチェ−ンが掛けられない歯又は該スプロケットと同軸上のロック用歯車の歯に対し、先端側が進退できる姿勢でロックロッドを設け、該ロッドの軸線上に、該ロッドをロック時にロック方向に付勢しロック解除時に非ロック方向に付勢するスプリングと該スプリングの下方に位置し前記ロックロッドを非ロック方向にのみ付勢するスプリングとを配設すると共に、前記ロッドの後端側に、当該ロッド操作用のつまみ又はレバ−による操作部材を設け、該操作部材の回転運動の運動量を前記両スプリングに蓄えつつ前記ロックロッドの直線運動に変換する変換機構を、前記操作部材とロッド後端側の間に連結して設けたハンドル式移動棚のロック機構において、前記操作部材の回転軸に、該軸と直交する面内で震動により自由に揺動可能な部材を枢支して吊下すると共に、該揺動部材の上端側を、前記変換機構をロック解除側にのみ作動させる作動片に形成して当該変換機構の構成部材の一つに対設したことを特徴とするハンドル式移動棚の自動ロック解除機構。
【請求項２】
揺動部材の下端側に重錘を設けると共に、該重錘を前記揺動部材上で上，下変位可能にした請求項１のハンドル式移動棚の自動ロック解除機構。
【発明の詳細な説明】
【０００１】
【産業上の利用分野】
本発明は棚の側壁に設けたハンドルを回転することにより移動できるハンドル式移動棚に設けられたロック機構の自動ロック解除機構に関するものである。
【０００２】
【従来の技術】
ハンドル式移動棚においては、各棚がハンドルの回転操作により自由に移動可能であるため、安全上の観点からロック機構が設けられている。例えば、収納物品の出入れのため棚の間に作業者が入っている場合などに、その棚や他の棚が他の作業者の操作で勝手に動かされたりすると危険だからである。このほかハンドル式移動棚は、ハンドルの往後揺動操作を回転運動に変換し、この変換された回転力を車輪に伝動させるタイプもあるが、以下の説明はハンドル回転式の移動棚について述べる。
【０００３】
このため、従来ロック機構として種々のものが提案され、又、実用にも供されているが、原理的には、ハンドルの回転を走行輪に伝達するための伝動機構を形成する回転部材、例えば、ハンドル軸スプロケット、中間スプロケット、車輪軸スプロケット等にロックロッドを噛ませたり、或は、上記の各スプロケット等と同軸上に別設した回転部材のロック穴等にロックロッドを嵌入させる方式が殆んどである。
【０００４】
上記ロック機構は、どのようなロック方式であれ、棚の間に人が居るときの誤操作を未然に防止できる点で、所期の目的を達成する有用なものであるが、ロック状態の解除が、人手による操作を経なければロック解除できないため、次のような問題がある。
【０００５】
即ち、移動棚がロック状態下にあるとき、例えば地震が発生しその震動が当該各棚の移動方向に作用すると、各棚が移動不能にロックされているため転倒してしまうおそれが高いということである。
【０００６】
従来、このような点に鑑み、ロック中の移動棚が地震の震動を受けるとそのロック状態を自動解除するようにした装置が、実公平４−２７３９５号として提案されているが、解決すべき問題がある。
【０００７】
即ち、上記の提案されている自動ロック解除装置は、ロック用のロッドが、ホイ−ル式ハンドルの軸に設けられたスプロケット、又は、該スプロケットと同軸上に被ロック部材として設けられた被ロック用ディスクに設けた被ロック用の穴に対し、前記ハンドルの軸と同じ方向、つまり、棚の側壁に直交する方向において進退させられることにより、ロック，アンロック操作がされる型式のものであるため、このロック装置のロック状態を解除するために地震の震動を受けて移動するロック解除用の部材は、前記ハンドル軸を含む垂直面内、つまり、棚の側壁面と直交する垂直面内で揺動するように設けられている。
【０００８】
しかし、前記のロック解除用の部材の揺動方向は、移動棚の移動方向と直交する方向（ハンドル軸と平行な垂直面内）であって、震動によって移動棚の転倒するおそれがある方向（移動棚の移動方向を含む垂直面内）とは異なっていること、また、前記ロック解除用部材の自由揺動が許容された方向は移動棚自体がその形態上震動に対して安定であること、などにより合理的とはいえないからである。
【０００９】
【発明が解決しようとする課題】
本発明は上記のような点に鑑み、移動棚がロック部材の変位によりロックされているとき、その棚が転倒し易い方向、つまり、当該棚の移動方向に地震等による震動を受けたときに確実に動作して前記ロック部材がロック側に変位していることによるロック状態を、反対側に変位させて解除することができる自動ロック解除機構を提供することを課題とするものである。
【００１０】
【課題を解決するための手段】
上記課題を解決することを目的としてなされた本発明自動ロック解除機構の構成は、移動棚の側面に設けられてチェ−ンが掛回されたハンドル軸スプロケットのチェ−ンが掛けられない歯又は該スプロケットと同軸上のロック用歯車の歯に対し、先端側が進退できる姿勢でロックロッドを設け、該ロッドの軸線上に、該ロッドをロック時にロック方向に付勢しロック解除時に非ロック方向に付勢するスプリングと該スプリングの下方に位置し前記ロックロッドを非ロック方向にのみ付勢するスプリングとを配設すると共に、前記ロッドの後端側に、当該ロッド操作用のつまみ又はレバ−による操作部材を設け、該操作部材の回転運動の運動量を前記両スプリングに蓄えつつ前記ロックロッドの直線運動に変換する変換機構を、前記操作部材とロッド後端側の間に連結して設けたハンドル式移動棚のロック機構において、前記操作部材の回転軸に、該軸と直交する面内で震動により自由に揺動可能な部材を枢支して吊下すると共に、該揺動部材の上端側を、前記変換機構をロック解除側にのみ作動させる作動片に形成して当該変換機構の構成部材の一つに対設したことを特徴とするものである。
【００１１】
【作用】
移動棚の側面に平行な面内で自由揺動可能に設けた震動を受けて自由に揺動する部材が、ロックロッドをロック側に移動させて保持している伝動機構を、震動を受けて生じる自由揺動によって非ロック方向にのみ作動させるようにしたので、レ−ル上でロックされて固定されていることにより移動方向に転倒し易い状態にあるロック状態の移動棚の当該ロックを地震等による震動発生時に自動的に解除することができる。
【００１２】
【実施例】
次に本発明自動ロック解除装置の実施の一例を図に拠り説明する。図１は本発明機構の一例を適用したハンドル式移動棚の要部の斜視図、図２は図１に示した本発明機構の要部の正面図、図３は図２の本発明機構の構成を示す斜視図である。
【００１３】
図は本発明装置の一例を示すもので、図１においてロック機構Ｒは移動棚ＭＬの側壁ＳＷに設けられたハンドル軸ＨＳにより駆動されるハンドル軸スプロケットＤＳの下方に取付けられる。ＤＣは前記スプロケットＤＳに掛回した駆動チェ−ン、ＣＴはチェ−ンテンショナ、Ｐは側壁ＳＷの支柱、ＣＦは移動棚ＭＬの台車、ＦＳは従動スプロケットである。しかして、１はロック機構の取付板で、移動棚ＭＬの側壁ＳＷの内側において上記スプロケットＤＳの下方に取付けられる。２は上記取付板１に於て、その上部に取付けた側面から見て略コ字状をなすロックロッドの受板で上，下の突出片２ｂ，２ｃに設けた穴にスリ−ブ２ａを取付け、該スリ−ブ２ａ内にロックロッド３が上下動自由状態で遊挿される。
【００１４】
ロックロッド３は、その上端部３ａがスプロケットＤＳの歯の間に適合して嵌入し易い形状に整えてある。このロッド３の下半側の中程にはスプリング受ピン４を設ける一方、下端部に縦長溝５を形成すると共に、該溝５の下端部に抜止ワッシャ６をピン６ａにより止着し、更に、このワッシャ６の上方にスプリング受座１１ａをロッド３に沿って摺動可能に遊挿している。
【００１５】
７は取付板１の下方において前記ロッド３の下端より下方に取付けた平面略ロ状をなすカム軸９の取付板で、軸９の先端側であって前記ロッド３の略直下にカム板８が取付けられていると共に、後端には、ロック機構の操作つまみ又はハンドル（図示せず）が取付けられるカム軸９が水平な姿勢で回転自在に取付けられている。上記カム板８の先端部は、上記ロッド３の下端部の溝５と連結ピン１０で連結されており、ロックしないときはカム板８が水平な姿勢（図２の鎖線）をとるようになっている。
【００１６】
上記ロッド３の下半側において、ロッド受板２における下方の突出片２ｃの下面とスプリング受ピン４の上面の間にはこのロッド３の後退（下降）側に作用するスプリング１２を、また、上記ピン４の下面と受座１１ａの上面の間には緩衝スプリング１１を挿装してある。
【００１７】
図２において、破線で示したロックロッド３の位置は、その先端部３ａがスプロケットＤＳの歯間に嵌入しない非ロック状態を示す。従って、図２において操作つまみ（図示せず）によりカム軸９を時計方向に９０度回転すると、ここではカム板８が図２の鎖線の位置から実線の位置に９０度起立する。カム板８が９０度起立すると連結ピン１０の先端側はロッド３の下端側に設けた溝５内を滑って上動し、受座１１ａを介してスプリング１１を圧縮するように作用する。
【００１８】
下方から圧縮力を受けるスプリング１１は、その上端側でのスプリング受ピン４を上方へ押上げるように働くので、このピン４が止められているロックロッド３が、スプリング１２の撥力に打勝って上昇し、このロッド３の先端部３ａがスプロケットＤＳの歯の間に嵌入し、ロック状態となるのである。
【００１９】
上記のロックロッド３の上昇（ロック）動作に於て、その先端部３ａがスプロケットＤＳの歯の間に入らず、歯面等に衝当しロッド３の上昇が阻げられたとしても、操作つまみを取付けたカム軸９は必ず９０度回転可能、つまり、ロック操作をしたこととなる。これは、カム板８が９０度回転して起立した場合においてこの回転運動を直線運動に変換する連結ピン１０の先端側がロッド３に形成した長溝５内を、スプリング１１を圧縮しつつ滑るからである。この場合、圧縮されて蓄えられたスプリング１１の撥力がロッド３を上動させる力となるから、スプロケットＤＳが少し微動するか、又は、ロッド３の先端側が少しガタつくことにより、当該ロッド３はスプロケットＤＳの歯の間に入ることができる。
【００２０】
上記のロック状態は、通常、回転軸たるカム軸９を反時計方向へ９０度回転させないと解除されないが、これだと移動棚のロック時に地震等による震動をその棚の移動方向に受けたとき、当該移動棚が転倒するおそれが多いことは、先に述べた通りである。従って、本発明では上記のロック状態にあるロック機構を地震等の震動を利用して自動解除できるようにした。以下、この点について述べる。
【００２１】
１３は前記カム軸９に回転自在に遊挿した揺動部材で、ここではその上端側が前記カム板８への関連当接部１４に形成されていると共に、下端側が重錘１６の支持部１５に形成されている。
【００２２】
揺動部材１３におけるカム板８への関連当接部１４は、ここでは揺動部材１３の中間に形成された軸９との軸遊挿部１４ａの少し上方に、カム板８の右側に進出して形成した舌片状の作動片１４ｂを具備して当該遊挿部１４ａと一体に形成されている。
【００２３】
一方、重錘支持部１５は、前記軸遊挿部１４ａから下方へ延設された当該遊挿部１４ａと一体で、前記作動片１４ｂとカム軸９に関して対称的な逆Ｌ字状をなす部材１５ａによって形成されている。逆Ｌ字状部材１５ａの下部水平片にはナット部材１５ｂが取付けられ、このナット部材１５ｂに、下端側に重錘１６を螺装したネジ杆１５ｃがその上部において螺入されている。重錘１６の位置はネジ杆１５ｃの上下、又は、ネジ杆１５ｃとナット部材１５ｂの螺合位置の調節によって、カム軸９に対する上，下位置を調節することができる。
【００２４】
上記構成により、カム板８への関連当接部１４と重錘１６の支持部１５を具備した揺動部材１３は、カム軸９に関して左，右いずれの方向へも揺動自在であるが、前記当接部１４の作動片１４ｂがここではカム板８の右側に位置付けられているため、次に述べる動作特性を示す。
【００２５】
即ち、カム板８が図２の実線で示すロック状態にあるとき、揺動部材１３の時計方向への揺動は前記当接部の作動片１４ｂがカム板８の右側から離反するので、自由揺動であるが、反時計方向への揺動では当該当接部の作動片１４ｂがカム板８の右側面に当接して当該カム板８を反時計方向、つまり、ロック解除方向に付勢するので、このカム板８はその軸９のつまみを手により反時計方向に回転するのと同様に反時計方向に回転させられ、ロック解除されることになる。
【００２６】
ここで、カム板８を反時計方向へ付勢する力は、揺動部材１３の下端に吊下した重錘１６による回転モ−メントと、連結ピン１０が思案点を超えたところ以降で上方から受けるスプリング１１の反撥力であるから、カム板８はその連結ピン１０がその思案点を超えると確実にロック解除側へ９０度回転するのである。
【００２７】
上記実施例の本発明装置において、揺動部材１３は、図示したものと機構的に等価であれば、少なくとも当接部１４，重錘支持部１５、或は、これらの各部１４，１５と重錘１６までが単一部材で予め一体に形成されたものであってもよい。また、ロック部材、ここではカム板８のアンロックのための回転方向は、図示の例とは逆方向であっても、本発明は勿論適用可能である。この場合、揺動部材部１３の作動片１４ｂがカム板８の左側に位置付けられることとなる。
【００２８】
【発明の効果】
本発明は以上の通りであって、ハンドル式移動棚のロック機構において、つまみ又はレバ−を棚の側面で時計方向又は反時計方向に回転することにより、ロック部材をロック又はアンロック側に変位させるようにしたロック機構に対し、その操作部材のアンロック側の動作にのみ連繋するようにして震動を受けて自動揺動する部材を設けることによって自動ロック解除機構としたので、ロックしているとき地震等の振動を受けてもその棚が転倒し易い方向の震動に応動して、自動ロック解除機構が確実に作動するから、安全上きわめて有用である。
【００２９】
また、揺動部材は、重錘の位置を上，下変位可能に形成することにより、震度に対応した揺動感度を設定することができるので、ロック解除機構を作動させる感度を任意かつ容易に設定，変更することができ、使用上便利である。
【図面の簡単な説明】
【図１】本発明機構の一例を適用したハンドル式移動棚の要部の斜視図。
【図２】図１に示した本発明機構の要部の正面図。
【図３】図２の本発明機構の構成を示す斜視図。
【符号の説明】
１    ロック機構取付板
２    ロックロッド受板
３    ロックロッド
４    スプリング受ピン
５    縦長溝
６    ワッシャ
７    カム軸取付板
８    カム板
９    カム軸
１０    連結棒
１１    緩衝スプリング
１１ａ    スプリング受座
１２    スプリング
１３    揺動部材
１４    関連当接部
１４ａ    遊挿部
１４ｂ    作動片
１５    重錘支持部
１５ａ    逆Ｌ字状部材
１５ｂ    ナット部材
１５ｃ    ネジ杆
１６    重錘
ＤＳ    ハンドル軸スプロケット
【図１】
0003548624.tif 000002
【図２】
0003548624.tif 000003
【図３】
0003548624.tif 000004